(57)【要約】      （修正有）【課題】簡易な構造でスライドスラットを移動、傾斜させることができるルーバ装置を提供する。【解決手段】開口部に沿って配置される複数のスライドスラット５が、移動手段によって降下してきたのを、保持手段が順次保持すると共に、前記移動手段によって上昇してきたスライドスラットが保持されているスライドスラット５を順次回収していくルーバ装置において、前記保持手段は、前記それぞれのスライドスラット５に形成された貫通部５０を貫通して配され所定の位置に下方に傾斜する噛合溝がそれぞれに形成された固定枠８３及び可動枠８４からなるガイドレール機構８０と、前記固定枠８３及び可動枠８４に沿って移動すると共に前記噛合溝に噛合するように付勢された一対の拘束ピン５１，５２と、直下に位置するスライドスラット５と接した場合に直下のスライドスラット５の一対の拘束ピン５１、５２の位置を保持するロック手段とを具備する。【選択図】図２
2010163742.tif 000002
【特許請求の範囲】
【請求項１】
開口部に沿って配置される複数の独立したスライドスラットと、該複数のスライドスラットの最下段に位置するスライドスラットを前記開口部に沿って移動させる移動手段と、該移動手段によって移動してきたスライドスラットを前記開口部の所定の位置に保持固定する保持手段とを具備し、前記移動手段によって降下してきたスライドスラットの最上段に位置するスライドスラットを、前記保持手段が順次保持すると共に、前記移動手段によって上昇してきたスライドスラットが前記保持手段によって保持されたスライドスラットを順次回収していくルーバ装置において、
前記移動手段は、駆動手段と、該駆動手段及び前記移動可能なスライドスラットの最下段に位置するスライドスラットを接続する接続手段とによって構成され、
前記保持手段は、前記それぞれのスライドスラットに形成された貫通部を貫通して配され、所定の位置で下方に傾斜する噛合溝がそれぞれに形成された一対の枠からなる少なくとも一つのガイドレール機構と、前記貫通部の近傍に配置され、前記一対の枠に沿って移動すると共に前記噛合溝に噛合するように付勢された一対の拘束ピンと、直下に位置するスライドスラットと接した場合に直下のスライドスラットの一対の拘束ピンの位置を保持するロック手段とを具備することを特徴とするルーバ装置。
【請求項２】
前記保持手段は、さらに前記一対の枠の噛合溝に噛合した一対の拘束ピンをロックする楔部材を具備すると共に、前記可動枠が固定枠に対してスライドすることによってスライドスラットを傾斜させることを特徴とする請求項１記載のルーバ装置。
【請求項３】
前記一対の枠は所定の位置に設けられた連結アームよって連結されることを特徴とする請求項１又は２記載のルーバ装置。
【請求項４】
前記噛合溝は、一対の枠のお互いに対面する側に形成され、前記一対の拘束ピンはスライドスラットの幅方向外側に付勢されていることを特徴とする請求項１〜３のいずれか１つに記載のルーバ装置。
【請求項５】
前記貫通部は、スライドスラット内に形成された貫通口であることを特徴とする請求項１〜４のいずれか１つに記載のルーバ装置。
【請求項６】
前記貫通部は、スライドスラットの長手方向両端に形成された凹部であることを特徴とする請求項１〜４のいずれか１つに記載のルーバ装置。
【請求項７】
前記一対の枠は、前記スライドスラットを傾斜させるように、相対的に移動可能であることを特徴とする請求項１〜６のいずれか1つに記載のルーバ装置。
【請求項８】
前記一対の枠の少なくとも一方には、少なくとも一方の枠が移動した時に前記噛合溝に嵌着した拘束ピンを固定する脱落防止板が設けられることを特徴とする請求項６記載のルーバ装置。
【発明の詳細な説明】
【技術分野】
【０００１】
本願発明は、窓や出入り口等の開口部に直接相互の連結手段を持たない複数の独立したスライドスラットを移動させて配置し、且つ容易に移動、回転させることのできるルーバ装置に関する。
【背景技術】
【０００２】
特許文献１は、非常時に内部から格子部材を移動させて開口できる面格子であって、格子部材をロックする施錠装置を不要とすると共に、緊急時に身体不自由者でも容易に内部から開口することができる自走式の電動面格子を開示する。具体的には、２本の固定枠と該固定枠の両端部に直角に設けた２本のガイドレールから面格子周枠体を形成し、面格子周枠体の２本のガイドレールに面格子フレームをスライド可能に係合し、前記面格子フレーム内部に電動機構を内蔵し、この電動機構により駆動される自走機構をガイドレール内に敷設したラックとこのラックに噛み合う電動機構からの駆動軸に設けたピニオンから形成し、面格子フレームをガイドレールに沿って移動可能としたものである。
【０００３】
特許文献２は、ルーバタイプの面格子において、常時は防犯のため各ルーバ板は移動できないが、緊急時に室内側から各ルーバ板を上昇させて非常口を形成することができる緊急脱出用面格子を開示する。具体的には、左縦枠と右縦枠及び上横枠と下横枠からなるルーバ枠体内に、上端に設けた回動軸縦溝を有する縦内枠板を左縦枠と右縦枠の内側に対向配置し、この縦内枠板の回動軸孔と回動軸縦溝にルーバ板の長手側端部に設けた回動軸を挿通して複数の横方向ルーバ板を垂直に鎧戸状に配設し、回動軸孔および回動軸縦溝から縦内枠板裏面に突出するそれぞれの回動軸にルーバ板の短手幅長の回動腕を取り付け、この回動腕の両端部に枢軸を設け前記枢軸に折曲自在帯を軸支して上下の回動腕を等間隔に配設し、ルーバ枠体の下横枠の室内側に最下段ルーバ板の回動軸の上部移動を阻止する自在挟持具を配設し、且つ縦内枠板裏面内に最下段ルーバ板の回動軸を昇降自在とする昇降機構を配設するものである。
【先行技術文献】
【特許文献】
【０００４】
【特許文献１】特開２００２−６１４７０号公報
【特許文献２】特開２００２−１９４９６６号公報
【発明の概要】
【発明が解決しようとする課題】
【０００５】
特許文献１は、端部に設けられた電動機構を有する格子部材が、ガイドレールに沿って移動して両端の間にある格子部材を収容していくので、緊急時に開くことが可能であるが、緊急用であるため、電動機構を有する格子部材を通常の位置に戻した場合、それぞれの格子部材が元の位置に復帰する構造を有さないため、現状復帰が困難であるという不具合を有する。
【０００６】
特許文献２は、最下段ルーバ板の回転軸を昇降自在として緊急時に開放することができ、また各ルーバが連結されていることから、元の位置に復帰可能であるが、構造が複雑であるという不具合を生じる。
【０００７】
以上のことから、本出願人は、特願２００８−３７０８３において、開口部の両側に配される一対のガイドレールと、前記開口部上方に積層されて収納されると共に前記ガイドレールに沿って上下に移動可能な複数のスライドスラットと、前記ガイドレールの対応する所定の位置に配され、スライドスラットのそれぞれの両端を保持して、所定の位置に前記スライドスラットを固定する保持手段と、該スライドスラットを移動させる移動手段とを少なくとも具備し、前記移動手段が、前記最下段のスライドスラットのみを前記ガイドレールに沿って移動させ、前記保持手段が、降下するスライドスラット群の最上段に位置するスライドスラットの当接噛合部のみを保持すると共に、上昇するスライドスラットによって、保持されたスライドスラットの噛合部の保持状態を解除するカム機構を有し、簡易な構造で、窓等の開口部に配置されるルーバ、スライドスラット又は面格子を移動させると共に、所定の位置に保持することのできる格子装置（ルーバ装置）を提案した。
【０００８】
このため、本出願人は、さらに簡易な構造で上述したルーバ装置と同様の動作を行うことができると共にスライドスラットを傾斜させることができるルーバ装置を提供することを目的とする。
【課題を解決するための手段】
【０００９】
したがって、この発明は、開口部に沿って配置される複数の独立したスライドスラットと、該複数のスライドスラットの最下段に位置するスライドスラットを前記開口部に沿って移動させる移動手段と、該移動手段によって移動してきたスライドスラットを前記開口部の所定の位置に保持固定する保持手段とを具備し、前記移動手段によって降下してきたスライドスラットの最上段に位置するスライドスラットを、前記保持手段が順次保持すると共に、前記移動手段によって上昇してきたスライドスラットが前記保持手段によって保持されたスライドスラットを順次回収していくルーバ装置において、前記移動手段は、駆動手段と、該駆動手段及び前記移動可能なスライドスラットの最下段に位置するスライドスラットを接続する接続手段とによって構成され、前記保持手段は、前記それぞれのスライドスラットに形成された貫通部を貫通して配され、所定の位置で下方に傾斜する噛合溝がそれぞれに形成された一対の枠からなる少なくとも一つのガイドレール機構と、前記貫通部の近傍に配置され、前記一対の枠に沿って移動すると共に前記噛合溝に噛合するように付勢された一対の拘束ピンと、直下に位置するスライドスラットと接した場合に直下のスライドスラットの一対の拘束ピンの位置を保持するロック手段とを具備することにある。
【００１０】
これによって、スライドスラットの収納状態において、開口部上部に積層された状態で収納された複数のスライドスラットは、最下段に位置するスライドスラットが移動手段によって降下されると、全体のスライドスラットが降下していくが、このとき、最上段に位置するスライドスラットの拘束ピン以外は、その直上に位置するスライドスラットのロック手段によって拘束ピンの位置が固定されているため、噛合溝を通過して降下し、最上段のスライドスラットの拘束ピンのみがフリーとなっているため、最初の噛合溝には最上段のスライドスラットの拘束ピンのみが嵌り込み、そのスライドスラットが噛合溝に保持される。この動作が順次行われるため、ガイドレール機構の所定の位置にスライドスラットが順次配設されていくことになる。また、スライドスラットが配設された後、最下段のスライドスラットを上昇させた場合、上方に位置するスライドスラットを順次押し上げて行くと共に、直上のスライドスラットのロック手段によってスライドスラットの拘束ピンが保持されていくので、積層された状態で上昇していくスライドスラット群の拘束ピンは、噛合溝側に移動しないものである。このようにして、スライドスラットを開口部上部に収納することができるものである。
【００１１】
また、前記保持手段は、さらに前記一対の枠の噛合溝に噛合した一対の拘束ピンをロックする楔部材を具備すると共に、前記可動枠が固定枠に対してスライドすることによってスライドスラットを傾斜させることが望ましい。
【００１２】
拘束ピンをロックする楔部材を設けたことによって、スライドスラットを傾斜させた場合、前記噛合溝に嵌着した拘束ピンが傾斜に伴って噛合溝から離脱することを防止できるものである。
【００１３】
さらに、前記一対の枠は所定の位置に設けられた連結アームよって連結されることが望ましい。これによって、拘束ピンの付勢力に対して一対の枠を所定の間隔で維持できると共に、可動枠を固定枠に対して安定して回転移動させることが可能となるものである。
【００１４】
さらにまた、前記噛合溝は、固定枠及び可動枠のお互いに対面する側（内側）に形成され、前記一対の拘束ピンはスライドスラットの幅方向外側に付勢されていることが望ましい。しかしながら、噛合溝を、固定枠及び可動枠のお互いに対面しない側（外側）に形成し、一対の拘束ピンを内側に付勢するようにしても良いものである。
【００１５】
また、前記貫通部は、スライドスラット内に形成された貫通口であっても、スライドスラットの長手方向両端に形成された凹部であっても良いものである。これは、前記ガイドレール機構は、前記スライドスラットを貫通するものであっても、前記スライドスラットの長手方向両側に配されるものであっても良いことを意味するものである。
【００１６】
さらに、前記一対の枠は、前記スライドスラットを傾斜させるように、相対的に移動可能であることが望ましく、さらにまた前記一対の枠の少なくとも一方には、少なくとも一方の枠が移動した時に前記噛合溝に嵌着した拘束ピンを固定する脱落防止板が設けられることが望ましい。尚、前記一対の枠は、一方が固定枠、他方が可動枠であることが望ましいが、お互いに相対的に移動可能な一対の可動枠であっても良い。
【発明の効果】
【００１７】
したがって、この発明は、独立した複数のスライドスラットを簡易な構造で、所定の位置に保持又は回収できると共に傾斜させることができる。各スラット同士をアーム等で直接連結する既成品と異なり、連結しない構造を有する為に、一部スラットだけを着脱したり、スラットの一領域だけを開閉させる限定開閉も簡単にできるので、様々な形状の窓や、出入り口等の開口部を個々の利用方法に合わせて適切・有効に且つ確実に開閉することができるという効果を奏する。
【図面の簡単な説明】
【００１８】
【図１】本願発明の実施例に係るルーバ装置の全体的構成を示した概略図であり、（ａ）はスライドスラットの収納状態を、（ｂ）はスライドスラットが配設された状態を、（ｃ）はスラットが開口部を視覚的に閉鎖した状態を示したものである。
【図２】本願発明の実施例に係る保持機構の概略構成図である。
【図３】本願発明の実施例に係るピン取付板の（ａ）は平面図、（ｂ）は正面図、（ｃ）は側面断面図である。
【図４】本願発明の実施例に係る楔部材の（ａ）は平面図、（ｂ）は正面図、（ｃ）は側面断面図である。
【図５】スライドスラットが収納場所から降下又は収納場所に上昇する状態を示した説明図である。
【図６】スライドスラットが所定の位置に保持されさらに他のスライドスラットが降下する状態又はスライドスラットが上昇して上に位置するスライドスラットを回収する状態を示した説明図である。
【図７】本願発明の実施例に係る楔部材が拘束ピンをロック又はロック解除した状態を示した説明図である。
【図８】可動枠が移動し、スラットが傾斜した状態を示した説明図である。
【発明を実施するための最良の形態】
【００１９】
この発明に係るルーバ装置は、窓などの開口部に沿って配置される複数の独立したスライドスラットと、該複数のスライドスラットの最下段に位置するスライドスラットを前記開口部に沿って移動させる移動機構と、該移動機構によって移動してきたスライドスラットを前記開口部の所定の位置に保持固定する保持機構とを具備する。また前記移動機構によって降下してきたスライドスラットの最上段に位置するスライドスラットを、前記保持機構が順次保持すると共に、前記移動機構によって上昇してきたスライドスラットが前記保持機構によって保持されたスライドスラットを順次回収していくものである。
【００２０】
また、前記ルーバ装置において、前記移動機構は、モータ等の駆動装置と、該駆動装置及び前記移動可能なスライドスラットの最下段に位置するスライドスラットを接続する接続機構とによって構成される。さらに、前記保持機構は、前記それぞれのスライドスラットに形成された貫通部を貫通して配され、所定の位置で下方に傾斜する噛合溝がそれぞれに形成された一対の枠からなる少なくとも一つのガイドレール機構と、前記貫通部の近傍に配置され、前記一対の枠に沿って移動すると共に前記噛合溝に噛合するように付勢された一対の拘束ピンと、直下に位置するスライドスラットと接した場合に直下のスライドスラットの一対の拘束ピンの位置を保持するロック機構とを具備するものである。以下、この発明の具体的な例を実施例として下記に示す。
【実施例１】
【００２１】
図１に開示されるルーバ装置１は、開口部２に沿って配置される複数の独立したスラットを具備する。このスラットは、この実施例では、開口部２の上方に配置される複数の固定スラット３と、開口部２の下方に配置される複数の固定スラット４と、それらの間で前記開口部２を開閉自在に移動するスライドスラット５とによって構成される。尚、本実施例では、開口部２の上方及び下方に固定スラット３，４を設ける構造としたが、開口部２の全体に渡ってスライドスラット５を配置する構成でも良いものである。
【００２２】
また、前記開口部２の上方に位置する上部枠体部６には、前記スライドスラット５の最下段に位置するスライドスラット５Ａを前記開口部２に沿って移動させる移動機構７と、この移動機構７によって移動してきたスライドスラット５を前記開口部２の所定の位置に保持固定する保持機構８とを具備し、前記移動機構７によって降下してきたスライドスラット５の最上段に位置するスライドスラット５Ｂを前記保持機構８が順次保持すると共に、前記移動機構７によって上昇してきたスライドスラット５が前記保持機構５によって保持されたスライドスラット５を順次回収していくように形成されるものである。
【００２３】
図１（ａ）は、複数の独立したスライドスラット５が、開口部２の上方に回収された状態を示したものであり、図１（ｂ）は、前記スライドスラット５が開口部２の所定の位置に前記保持機構８によって保持された状態を示したものであり、図１（ｃ）は前記スライドスラット５及び固定スラット３，４が傾斜して開口部２を視覚的に遮蔽した状態を示したものである。
【００２４】
前記駆動機構７は、図示しないモータと、一端が最下段のスライドスラット５Ａに固定される牽引ワイヤー６１と、このモータによって回転し牽引ワイヤー６１を巻き取るドラム６２とによって構成され、また、前記ドラム６２には停止機構が設けられ、これによって、牽引ワイヤー６１を固定してスライドスラット５を所定の位置で停止させることが可能となると共に、停止機構が解除されてドラム６２がフリーになった場合、最下段のスライドスラット５Ａが自重により降下するものである。また、モータを駆動させてドラム６２で牽引ワイヤー６１を巻き上げることによって、最下段のスライドスラット５Ａが上昇するものである。
【００２５】
前記保持機構８は、図１及び図２に示されるように、前記それぞれのスライドスラット５に形成された貫通部（この実施例では貫通口）５０を貫通して配され、例えば図５で示すように所定の位置で下方に傾斜する噛合溝８１が形成された固定枠８３及び噛合溝８２が形成された可動枠８４からなるガイドレール機構８０と、前記貫通口５０の近傍に配置され、前記固定枠８３及び可動枠８４に沿って移動すると共に前記噛合溝８１，８２に噛合するように付勢された一対の拘束ピン５１，５２と、直下に位置するスライドスラット５と接した場合に直下のスライドスラット５の一対の拘束ピン５１，５２の位置を保持するロック機構とによって構成されるものである。
【００２６】
前記ロック機構は、図３で示されるピン取付板９０と、図４で示される楔部材１００とによって構成される。また、このロック機構には、前記拘束ピン５１，５２を前記固定枠８３及び可動枠８４側に付勢する付勢手段として図示しないバネが設けられている。
【００２７】
前記ピン取付板９０は、図６に示すように、前記貫通口５０の近傍の前記スライドスラット５上に固定される固定部９１と、この固定部９１から下方に延出して直下に位置するスライドスラット５の拘束ピン５１，５２を保持する保持凹部を有する保持部９２と、前記固定部９１から上方に延出してこのスライドスラット５の拘束ピン５１，５２の後端部を支持する支持部９５が形成された拘束ピン保持部９４とによって構成され、さらに前記固定部９１には、前記楔部材１００の操作片１０３が延出する装着開口部９７が形成されると共に、前記楔部材１００の装着部１０４が装着される装着口部９６が形成される。
【００２８】
前記楔部材１００は、その一端に前記装着口部９７に挿入される装着部１０４を有する本体プレート１０１と、この本体プレート１０１の他端側から所定の幅で上方に立ち上がる楔部１０２と、前記本体プレート１０１を、装着部１０４を支点として楔部１０２を上方に持ち上げる操作片１０３とによって構成される。
【００２９】
以上の構成により、例えば図１（ａ）に示すように、スライドスラット３が開口部２の上部に積層された状態から、前記駆動機構７の停止機構がオフされてドラム６２がフリーにされた場合、最下段のスライドスラット５Ａに対する保持力がなくなるため、積層されたスライドスラット５は前記ガイドレール機構８０の固定枠８３及び可動枠８４に沿って降下していく。この場合、図５で示すように、最下段のスライドスラット５Ａ及び中段に位置するスライドスラット５Ｂの拘束ピン５１，５２は、その直上に位置するスライドスラットの保持部９２の保持凹部９３によって広がらないように保持されており、最上段のスライドスラット５Ｃの拘束ピン５１，５２だけが前記固定枠８３及び可動枠８４によってその間隔が保持された状態となっている。
【００３０】
この状態で積層されたスライドスラット５が降下した場合、図５で示すように、最上段以外のスライドスラット５Ａ，５Ｂの拘束ピン５１，５２は、保持部９２によって幅方向が規制されていることから、固定枠８３及び可動枠８４に形成された噛合溝８１，８２を通過することになる。そして、最上段に位置するスライドスラット５Ｃの拘束ピン５１，５２は、図６で示すように、固定枠８３及び可動枠８４の枠に沿って移動するため、噛合溝８１，８２に嵌め込まれるので、最上段のスライドスラット５Ｃはその位置に配置される。そして、その直下のスライドスラット５Ｂは、噛合溝５１，５２に保持されたスライドスラット５Ｄの保持部９２から離れることから、拘束ピン５１，５２の幅方向の規制が解除され、最上段に位置するスライドスラット５Ｃとして降下することになるものである。そして、以上の操作が順次行われ、最上段に位置するスライドスラット５Ｃが順次所定の噛合溝５１，５２に保持されていくものである。図１（ｂ）で示すように、それぞれのスライドスラット５が所定の位置に配設された状態となるものである。
【００３１】
逆に、図１（ｂ）で示される状態から、最下段のスライドスラット５Ａが牽引ワイヤー６１によって引き上げられると、最下段のスライドスラット５Ａが上昇して最初のスライドスラット５Ｂに接触すると、最下段のスライドスラット５Ａの拘束ピン５１，５２が直上のスライドスラット５Ｂの保持部９２によって幅方向に規制され、さらに最下段のスライドスラット５Ａが上昇することによって、直上のスライドスラット５Ｂの拘束ピン５１，５２が噛合溝８１，８２の傾斜に沿って上昇し、前記拘束ピン５１，５２が噛合溝８１，８２から離脱するものである。この動作を繰り返すことによって、順次スライドスラット５が回収され、開口部２の上方に保持されるものである。
【００３２】
また、前記楔部材１００は、図7で示すように、拘束ピン５１，５２が噛合溝８１，８２に嵌り込み、直下のスライドスラット５が降下した場合、楔部材１００の噛合片１０３が下がるため、拘束ピン５１，５２間に楔部材１００の楔部１０２が嵌り込んで、拘束ピン５１，５２をロックするものである。また、例えばスライドスラット５Ａが上昇して直上のスライドスラット５Ｃに接触した場合、前記操作片１０３が押し上げられるので、楔部１０２が拘束ピン５１，５２間から押し上げられて離脱するので、拘束ピン５１，５２のロックが解除されるものである。
【００３３】
また、前記固定枠８３と可動枠８４は、連結アーム８６によって連結され、固定枠８３及び可動枠８４の間隔が一定となるように保持すると共に、図１（ｃ）で示されるように、スラット３，４，５が開口部２を視覚的に遮蔽する場合に、前記可動枠８４を安定して動作させるようになっている。
【００３４】
また、この実施例では、前記可動枠８４に沿って脱落防止板８５が配置される。この脱落防止板８５は、前記可動枠８４の噛合溝５２と同一の場所に保持溝８７を有し、前記可動枠８４が引き上げられた時に、脱落防止板８５は自重により下がって、前記噛合溝８２に嵌合した拘束ピン５２を保持するものである。これによって、図８で示すように、可動枠８４が引き上げられてスラット３，４，５が傾斜した場合でも、特にスライドスラット５の拘束ピン５２が噛合溝８２から離脱することを防止できるものである。このように、この実施例では、楔部材１００及び脱落防止板８５によって、安全にスラットを傾斜させることができるものである。
【符号の説明】
【００３５】
１  ルーバ装置
２  開口部
３，４  固定スラット
５  スライドスラット
６  上部枠体部
７  移動機構
８  保持機構
５０  貫通部
５１，５２  拘束ピン
６１  牽引ワイヤー
６２  ドラム
８０  ガイドレール機構
８１，８２  噛合溝
８３  固定枠
８４  可動枠
９０  ピン取付板
９１  固定部
９２  保持部
９３  保持凹部
９４  拘束ピン保持部
９５  支持部
９６  装着口
９７  装着開口
１００  楔部材
１０１  本体プレート
１０２  楔部
１０３  操作片
１０４  装着部
【図１】
2010163742.tif 000003
【図２】
2010163742.tif 000004
【図３】
2010163742.tif 000005
【図４】
2010163742.tif 000006
【図５】
2010163742.tif 000007
【図６】
2010163742.tif 000008
【図７】
2010163742.tif 000009
【図８】
2010163742.tif 000010